(57)【要約】【課題】インターネット上での物々交換を円滑に行う。【解決手段】利用者の譲渡希望物品と取得希望物品とを複数の利用者毎にそれぞれ対応づけて物品データベース２３に記憶しておき、情報画面に入力された譲渡希望物品が他の利用者の取得希望物品として記憶されている場合、その取得希望物品に対応づけて記憶された譲渡希望物品が掲載された情報画面をユーザ端末１０−１〜１０−ｎに提供し、また、情報画面に入力された取得希望物品が他の利用者の譲渡希望物品として記憶されている場合、その譲渡希望物品に対応づけて記憶された取得希望物品が掲載された情報画面をユーザ端末１０−１〜１０−ｎに提供する。【選択図】図１
2008171071.tif 000002
【特許請求の範囲】
【請求項１】
複数の利用者間で行う物々交換を支援する物々交換支援システムであって、
インターネットに接続可能に構成され、前記複数の利用者がそれぞれ操作する複数の端末と、
インターネットに接続された物々交換支援サーバとを有し、
前記物々交換支援サーバは、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された譲渡希望物品が他の利用者の取得希望物品として前記記憶手段に記憶されている場合、当該取得希望物品に対応づけて前記記憶手段に記憶された譲渡希望物品を前記記憶手段から検索する検索手段とを有し、
前記情報画面提供手段は、前記検索手段にて前記記憶手段から検索された譲渡希望物品が掲載された情報画面を前記端末に提供する物々交換支援システム。
【請求項２】
請求項１に記載の物々交換支援システムにおいて、
前記記憶手段は、前記複数の利用者毎に前記複数の端末の電子メールアドレスをそれぞれ記憶し、
前記情報画面提供手段は、前記情報画面における前記譲渡希望物品の掲載領域に、該掲載領域が指定された場合に、当該譲渡希望物品を入力した利用者が操作する端末を宛先とした電子メール作成画面を前記端末に表示させる情報を組み込むことを特徴とする物々交換支援システム。
【請求項３】
複数の利用者間で行う物々交換を支援する物々交換支援システムであって、
インターネットに接続可能に構成され、前記複数の利用者がそれぞれ操作する複数の端末と、
インターネットに接続された物々交換支援サーバとを有し、
前記物々交換支援サーバは、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された取得希望物品が他の利用者の譲渡希望物品として前記記憶手段に記憶されている場合、当該譲渡希望物品に対応づけて前記記憶手段に記憶された取得希望物品を前記記憶手段から検索する検索手段とを有し、
前記情報画面提供手段は、前記検索手段にて前記記憶手段から検索された取得希望物品が掲載された情報画面を前記端末に提供する物々交換支援システム。
【請求項４】
請求項３に記載の物々交換支援システムにおいて、
前記記憶手段は、前記複数の利用者毎に前記複数の端末の電子メールアドレスをそれぞれ記憶し、
前記情報画面提供手段は、前記情報画面における前記取得希望物品の掲載領域に、該掲載領域が指定された場合に、当該取得希望物品を入力した利用者が操作する端末を宛先とした電子メール作成画面を前記端末に表示させる情報を組み込むことを特徴とする物々交換支援システム。
【請求項５】
複数の利用者がそれぞれ操作する複数の端末にインターネットを介して接続可能に構成され、前記複数の利用者間で行う物々交換を支援する物々交換支援サーバであって、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された譲渡希望物品が他の利用者の取得希望物品として前記記憶手段に記憶されている場合、当該取得希望物品に対応づけて前記記憶手段に記憶された譲渡希望物品を前記記憶手段から検索する検索手段とを有し、
前記情報画面提供手段は、前記検索手段にて前記記憶手段から検索された譲渡希望物品が掲載された情報画面を前記端末に提供する物々交換支援サーバ。
【請求項６】
請求項５に記載の物々交換支援サーバにおいて、
前記記憶手段は、前記複数の利用者毎に前記複数の端末の電子メールアドレスをそれぞれ記憶し、
前記情報画面提供手段は、前記情報画面における前記譲渡希望物品の掲載領域に、該掲載領域が指定された場合に、当該譲渡希望物品を入力した利用者が操作する端末を宛先とした電子メール作成画面を前記端末に表示させる情報を組み込むことを特徴とする物々交換支援サーバ。
【請求項７】
複数の利用者がそれぞれ操作する複数の端末にインターネットを介して接続可能に構成され、前記複数の利用者間で行う物々交換を支援する物々交換支援サーバであって、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された取得希望物品が他の利用者の譲渡希望物品として前記記憶手段に記憶されている場合、当該譲渡希望物品に対応づけて前記記憶手段に記憶された取得希望物品を前記記憶手段から検索する検索手段とを有し、
前記情報画面提供手段は、前記検索手段にて前記記憶手段から検索された取得希望物品が掲載された情報画面を前記端末に提供する物々交換支援サーバ。
【請求項８】
請求項７に記載の物々交換支援サーバにおいて、
前記記憶手段は、前記複数の利用者毎に前記複数の端末の電子メールアドレスをそれぞれ記憶し、
前記情報画面提供手段は、前記情報画面における前記取得希望物品の掲載領域に、該掲載領域が指定された場合に、当該取得希望物品を入力した利用者が操作する端末を宛先とした電子メール作成画面を前記端末に表示させる情報を組み込むことを特徴とする物々交換支援サーバ。
【発明の詳細な説明】
【技術分野】
【０００１】
本発明は、複数の利用者間で行う物々交換を支援する物々交換支援システム及び物々交換支援サーバに関する。
【背景技術】
【０００２】
近年、パーソナルコンピュータやインターネットの急速な普及に伴い、企業のみならず、一般ユーザ間でも様々な情報の交換が行われている。このように情報の交換が容易になったことを利用して、昨今では、インターネットオークションと呼ばれる一般ユーザ間での物品の売買が行われている。
【０００３】
インターネットオークションは、一般ユーザが不要となった物品をインターネット上に提示し、他の一般ユーザがこれに値段をつけていき、最も高値をつけた一般ユーザにその物品が譲り渡されるものである。これにより、一般ユーザは、現在所持している不要な物品を金銭に換えることができ、また、それを購入する一般ユーザにとっては、場合によっては、市場で販売されている値段よりも安い値段で所望の物品を購入することができる。
【０００４】
ところが、このようなインターネットオークションにおいては、売買した物品を出品者から購入者に送付する必要があり、そのための送料を鑑みた場合、出品あるいは購入に躊躇してしまうことになりかねない。特に、物品を出品した一般ユーザの居住地域と物品を購入した一般ユーザの居住地域とが距離的に離れている場合、送料が高価なものとなってしまう。
【０００５】
ここで、物品どうしを交換するいわゆる物々交換が、古くから人と人との間で行われてきた。そして、近年では、インターネット上にて物々交換を行うサイトもいくつか実在している。インターネット上にて物々交換を行うサイトとしては、例えば、一般ユーザが不用品及びそれと交換して欲しい物品をサイト上に掲載しておき、そのサイトを閲覧した他の一般ユーザが、自分が欲しい物品が掲載されている場合に、その物品と交換する物品等の条件を確認し、条件が合えばそのユーザ間で交渉するといったものがある。
【０００６】
このような物々交換においては、上述したインターネットオークションのように物品と金銭との交換ではなく、物品どうしの交換であるため、物品の送料は双方にかかることになり相殺される。そのため、インターネットオークションほど送料によって出品を躊躇することはなくなる。
【発明の開示】
【発明が解決しようとする課題】
【０００７】
しかしながら、上述したように、一般ユーザが不用品及びそれと交換して欲しい物品をサイト上に掲載しておき、そのサイトを閲覧した他の一般ユーザが、自分が欲しい物品が掲載されている場合に、その物品と交換する物品等の条件を確認し、条件が合えばそのユーザ間で交渉するものにおいては、一般ユーザが不用品及びそれと交換して欲しい物品がサイト上に掲載されているだけであり、サイトに掲載された物品を一般ユーザが自分で確認して物々交換を行うことになるため、掲示板のような役割に止まり、物々交換が円滑に行われるとは言い難い。
【０００８】
本発明は、上述したような従来の技術が有する問題点に鑑みてなされたものであって、インターネット上での物々交換を円滑に行うことができる物々交換支援システム及び物々交換支援サーバを提供することを目的とする。
【課題を解決するための手段】
【０００９】
上記目的を達成するために本発明は、
複数の利用者間で行う物々交換を支援する物々交換支援システムであって、
インターネットに接続可能に構成され、前記複数の利用者がそれぞれ操作する複数の端末と、
インターネットに接続された物々交換支援サーバとを有し、
前記物々交換支援サーバは、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された譲渡希望物品が他の利用者の取得希望物品として前記記憶手段に記憶されている場合、当該取得希望物品に対応づけて前記記憶手段に記憶された譲渡希望物品を前記記憶手段から検索する検索手段とを有し、
前記情報画面提供手段は、前記検索手段にて前記記憶手段から検索された譲渡希望物品が掲載された情報画面を前記端末に提供する。
【００１０】
上記のように構成された本発明においては、複数の利用者間においてインターネットに接続可能に構成された複数の端末を用いて物々交換を行う場合、物々交換支援サーバの情報画面提供手段から、利用者が譲渡希望物品と取得希望物品とを入力するための情報画面がインターネットを介して端末に提供され、この情報画面に対して利用者の譲渡希望物品と取得希望物品とが入力されると、入力された譲渡希望物品と取得希望物品とは、物々交換支援サーバの記憶手段にて複数の利用者毎にそれぞれ対応づけて記憶される。また、その後、情報画面に入力された譲渡希望物品が他の利用者の取得希望物品として記憶手段に記憶されている場合、物々交換支援サーバの検索手段において、その取得希望物品に対応づけて記憶手段に記憶された譲渡希望物品が記憶手段から検索され、情報画面提供手段において、検索手段にて記憶手段から検索された譲渡希望物品が掲載された情報画面が端末に提供される。
【００１１】
このように、利用者の譲渡希望物品と取得希望物品とが複数の利用者毎にそれぞれ対応づけて記憶され、情報画面に入力された譲渡希望物品が他の利用者の取得希望物品として記憶されている場合、その取得希望物品に対応づけて記憶された譲渡希望物品が掲載された情報画面が端末に提供されるので、利用者は、自分が譲渡を希望する物品について取得を希望する利用者が譲渡を希望している物品を知ることができ、それに基づいて物々交換の交渉をしやすくなる。
【００１２】
また、複数の利用者毎に複数の端末の電子メールアドレスを記憶手段にそれぞれ記憶しておき、情報画面提供手段において、端末に提供する情報画面における譲渡希望物品の掲載領域に、その掲載領域が指定された場合に、指定された譲渡希望物品を入力した利用者が操作する端末を宛先とした電子メール作成画面を端末に表示させる情報を組み込んでおけば、端末に提供された情報画面上に掲載された譲渡希望物品のうち所望の譲渡希望物品を指定するだけで、その譲渡希望物品を入力した利用者が操作する端末を宛先とした電子メール作成画面が端末に表示されることになり、物々交換の交渉を電子メールで容易に行うことができるようになる。
【００１３】
また、複数の利用者間で行う物々交換を支援する物々交換支援システムであって、
インターネットに接続可能に構成され、前記複数の利用者がそれぞれ操作する複数の端末と、
インターネットに接続された物々交換支援サーバとを有し、
前記物々交換支援サーバは、
前記利用者が譲渡希望物品と取得希望物品とを入力するための情報画面を前記端末に提供する情報画面提供手段と、
前記情報画面に入力された譲渡希望物品と取得希望物品とを前記複数の利用者毎にそれぞれ対応づけて記憶する記憶手段と、
前記情報画面に入力された取得希望物品が他の利用者の譲渡希望物品として前記記憶手段に記憶されている場合、当該譲渡希望物品に対応づけて前記記憶手段に記憶された取得希望物品を前記記憶手段から検索する検索手段とを有し、
前記情報画面提供手段は、前記検索手段にて前記記憶手段から検索された取得希望物品が掲載された情報画面を前記端末に提供する。
【００１４】
上記のように構成された本発明においては、複数の利用者間においてインターネットに接続可能に構成された複数の端末を用いて物々交換を行う場合、物々交換支援サーバの情報画面提供手段から、利用者が譲渡希望物品と取得希望物品とを入力するための情報画面がインターネットを介して端末に提供され、この情報画面に対して利用者の譲渡希望物品と取得希望物品とが入力されると、入力された譲渡希望物品と取得希望物品とは、物々交換支援サーバの記憶手段にて複数の利用者毎にそれぞれ対応づけて記憶される。また、その後、情報画面に入力された取得希望物品が他の利用者の譲渡希望物品として記憶手段に記憶されている場合、物々交換支援サーバの検索手段において、その譲渡希望物品に対応づけて記憶手段に記憶された取得希望物品が記憶手段から検索され、情報画面提供手段において、検索手段にて記憶手段から検索された取得希望物品が掲載された情報画面が端末に提供される。
【００１５】
このように、利用者の譲渡希望物品と取得希望物品とが複数の利用者毎にそれぞれ対応づけて記憶され、情報画面に入力された取得希望物品が他の利用者の譲渡希望物品として記憶されている場合、その譲渡希望物品に対応づけて記憶された取得希望物品が掲載された情報画面が端末に提供されるので、利用者は、自分が取得を希望する物品について譲渡を希望する利用者が取得を希望している物品を知ることができ、それに基づいて物々交換の交渉をしやすくなる。
【００１６】
また、複数の利用者毎に複数の端末の電子メールアドレスを記憶手段にそれぞれ記憶しておき、情報画面提供手段において、端末に提供する情報画面における取得希望物品の掲載領域に、その掲載領域が指定された場合に、指定された取得希望物品を入力した利用者が操作する端末を宛先とした電子メール作成画面を端末に表示させる情報を組み込んでおけば、端末に提供された情報画面上に掲載された取得希望物品のうち所望の取得希望物品を指定するだけで、その取得希望物品を入力した利用者が操作する端末を宛先とした電子メール作成画面が端末に表示されることになり、物々交換の交渉を電子メールで容易に行うことができるようになる。
【発明の効果】
【００１７】
以上説明したように本発明においては、利用者の譲渡希望物品と取得希望物品とが複数の利用者毎にそれぞれ対応づけて記憶され、情報画面に入力された譲渡希望物品が他の利用者の取得希望物品として記憶されている場合、その取得希望物品に対応づけて記憶された譲渡希望物品が掲載された情報画面が端末に提供される構成としたため、利用者は、自分が譲渡を希望する物品について取得を希望する利用者が譲渡を希望している物品を知ることができ、それにより、インターネット上での物々交換を円滑に行うことができる。
【００１８】
また、利用者の譲渡希望物品と取得希望物品とが複数の利用者毎にそれぞれ対応づけて記憶され、情報画面に入力された取得希望物品が他の利用者の譲渡希望物品として記憶されている場合、その譲渡希望物品に対応づけて記憶された取得希望物品が掲載された情報画面が端末に提供される構成としたものにおいても、上記同様の効果を奏する。
【発明を実施するための最良の形態】
【００１９】
以下に、本発明の実施の形態について図面を参照して説明する。
【００２０】
図１は、本発明の物々交換支援システムの実施の一形態を示す図である。
【００２１】
本形態は図１に示すように、インターネット３０に接続可能に構成され、物々交換を行う複数の利用者がそれぞれ操作する複数のユーザ端末１０−１〜１０−ｎと、インターネット３０に接続され、ユーザ端末１０−１〜１０−ｎを用いて行われる物々交換を支援する物々交換支援サーバ２０とから構成されている。
【００２２】
物々交換支援サーバ２０は、情報画面提供部２１と、検索手段である検索エンジン２２と、記憶手段である物品データベース２３及び顧客データベース２４とから構成されている。情報画面提供部２１は、ユーザ端末１０−１〜１０−ｎからインターネット３０上を介してアクセス可能なＷｅｂサーバ機能を有し、ユーザ端末１０−１〜１０−ｎに対して物々交換を行うための情報画面を提供する。物品データベース２３には、情報画面提供部２１からユーザ端末１０−１〜１０−ｎに提供された情報画面に入力された、利用者が他の利用者への譲渡を希望する譲渡希望物品と、利用者が取得を希望する取得希望物品とが、利用者毎に対応づけて記憶されている。検索エンジン２２は、情報画面提供部２１からユーザ端末１０−１〜１０−ｎに提供された情報画面にて指定された条件に基づいて物品データベース２３内を検索する。顧客データベース２４には、会員登録された利用者の氏名や電子メールアドレス等の属性情報が、会員登録した際に付与及び登録されたログインＩＤ及びパスワードと対応づけて記憶されている。
【００２３】
以下に、上記のように構成された物々交換支援システムを用いた物々交換方法について説明する。
【００２４】
まず、上記のように構成された物々交換支援システムによって構築される物々交換サイトに物々交換をする物品を登録し、この物品を用いて物々交換をする際の処理について説明する。
【００２５】
図２は、図１に示した物々交換支援システムにおいて物々交換サイトに物々交換をする物品を登録し、この物品を用いて物々交換をする際の処理を説明するためのフローチャートであり、ユーザ端末１０−１を用いた処理を示す。
【００２６】
図１に示したユーザ端末１０−１にて図１に示した物々交換支援システムを利用して物々交換を行うために、ユーザ端末１０−１において、物々交換支援サーバ２０によって提供される物々交換サイトにインターネット３０を介してアクセスが行われると（ステップＳ１）、まず、物々交換サイトにログインするためのログイン画面が物々交換支援サーバ２０の情報画面提供部２１から送信される（ステップＳ２）。
【００２７】
物々交換支援サーバ２０の情報画面提供部２１から送信されたログイン画面は、インターネット３０を介してユーザ端末１０−１にて受信され、ユーザ端末１０−１のディスプレイ上に表示される（ステップＳ３）。
【００２８】
図３は、図１に示した情報画面提供部２１から送信され、ユーザ端末１０−１に表示されたログイン画面の一例を示す図である。
【００２９】
図３に示すように、図１に示した情報画面提供部２１から送信され、ユーザ端末１０−１に表示されたログイン画面には、ログインＩＤを入力するためのＩＤ入力領域４１と、パスワードを入力するためのパスワード入力領域４２とが設けられている。ここで、ログインＩＤは、利用者がこの物々交換サイトに会員登録した際に物々交換サイトから付与されたものであり、また、パスワードは、利用者がこの物々交換サイトに会員登録した際に物々交換サイトに登録したものであり、これらは、互いに対応づけて顧客データベース２４に登録されている。
【００３０】
図３に示したログイン画面のＩＤ入力領域４１にログインＩＤが入力され、また、パスワード入力領域４２にパスワードが入力され、ログイン画面に掲載された送信ボタン４３が押下されると、ＩＤ入力領域４１に入力されたログインＩＤと、パスワード入力領域４２に入力されたパスワードとがユーザ端末１０−１から送信され（ステップＳ４）、物々交換支援サーバ２０にて受信される（ステップＳ５）。
【００３１】
すると、物々交換支援サーバ２０において、顧客データベース２４が参照され、ユーザ端末１０−１から送信されてきたログインＩＤとパスワードとが顧客データベース２４に対応づけて登録されているかどうかが確認され（ステップＳ６）、これらが対応づけて顧客データベース２４に登録されていない場合は、認証エラーと判断され、その旨がユーザ端末１０−１に通知され（ステップＳ７）、ユーザ端末１０−１のディスプレイ上に表示される（ステップＳ８）。
【００３２】
一方、ユーザ端末１０−１から送信されてきたログインＩＤとパスワードとが顧客データベース２４に対応づけて登録されている場合は、物々交換支援サーバ２０の情報画面提供部２１において、物々交換サイトに物々交換をする物品を登録するか、あるいは過去に登録した物品についての情報を閲覧するかを選択するための処理種別選択画面が送信される（ステップＳ９）。
【００３３】
物々交換支援サーバ２０の情報画面提供部２１から送信された処理種別選択画面は、インターネット３０を介してユーザ端末１０−１にて受信され、ユーザ端末１０−１のディスプレイ上に表示される（ステップＳ１０）。
【００３４】
図４は、図１に示した情報画面提供部２１から送信され、ユーザ端末１０−１に表示された処理種別選択画面の一例を示す図である。
【００３５】
図４に示すように、図１に示した情報画面提供部２１から送信され、ユーザ端末１０−１に表示された処理種別選択画面には、物々交換サイトに物々交換をする物品を登録する処理を選択するための登録ボタン４４と、過去に登録した物品についての情報を閲覧する処理を選択するための閲覧ボタン４５とが掲載されており、物々交換サイトに物々交換をする物品を登録する場合は登録ボタン４４が押下され、過去に登録した物品についての情報を閲覧する場合は閲覧ボタン４５が押下されることになる。図２に示した処理は、物々交換サイトに物々交換をする物品を登録し、この物品を用いて物々交換をする際の処理であるため、登録ボタン４４が押下される（ステップＳ１１）。
【００３６】
すると、情報画面提供部２１において、物々交換サイトにて物々交換をする物品のカテゴリーを選択するためのカテゴリー選択画面が送信される（ステップＳ１２）。
【００３７】
物々交換支援サーバ２０の情報画面提供部２１から送信されたカテゴリー選択画面は、インターネット３０を介してユーザ端末１０−１にて受信され、ユーザ端末１０−１のディスプレイ上に表示される（ステップＳ１３）。
【００３８】
図１に示した情報画面提供部２１から送信され、ユーザ端末１０−１に表示されたカテゴリー選択画面においては、物々交換において譲渡を希望する物品のカテゴリーを選択可能となっており、このカテゴリー選択画面を用いて物品のカテゴリーが選択されると（ステップＳ１４）、情報画面提供部２１において、物々交換サイトに物々交換をする物品を登録するための物品登録画面が送信される（ステップＳ１５）。
【００３９】
物々交換支援サーバ２０の情報画面提供部２１から送信された物品登録画面は、インターネット３０を介してユーザ端末１０−１にて受信され、ユーザ端末１０−１のディスプレイ上に表示される（ステップＳ１６）。
【００４０】
図１に示した情報画面提供部２１から送信され、ユーザ端末１０−１に表示された物品登録画面においては、物々交換にて譲渡を希望する譲渡希望物品及び取得を希望する取得希望物品のそれぞれについて、その物品名や、新品や中古等といった物品の状態、使用履歴や型番等のコメント等を入力するための領域が設けられているとともに、物々交換にて譲渡を希望する物品についてその画像を登録するためのボタンが掲載されている。この物品登録画面を用いて、物々交換にて譲渡を希望する譲渡希望物品及び取得を希望する取得希望物品のそれぞれについて、その物品名や、新品や中古等といった物品の状態、コメント等が入力されるとともに、画像を登録するためのボタンが押下されて画像がアップロードされると（ステップＳ１７）、物々交換支援サーバ２０において、物品登録画面を用いて登録された譲渡希望物品についての情報と取得希望物品についての情報とが利用者毎に物品データベース２３に記憶される（ステップＳ１８）。
【００４１】
図５は、図１に示した物品データベース２３の一構成例を示す図である。
【００４２】
図５に示すように、図１に示した物品データベース２３には、物品登録画面を用いて登録された譲渡希望物品についての情報と取得希望物品についての情報とが、利用者毎に、利用者に付与されたログインＩＤ及び利用者の氏名と対応づけて記憶される。なお、譲渡希望物品の画像が登録された場合は、物品データベース２３には、その画像のファイル名が記憶され、譲渡希望物品が指定された場合、そのファイル名に従って画像データが取得されることになる。
【００４３】
その後、物々交換支援サーバ２０の情報画面提供部２１において、ステップＳ１７にて情報登録画面に入力されて物品データベース２３に記憶された物品情報が掲載された登録物品掲載画面が送信される（ステップＳ１９）。
【００４４】
物々交換支援サーバ２０の情報画面提供部２１から送信された登録物品掲載画面は、インターネット３０を介してユーザ端末１０−１にて受信され、ユーザ端末１０−１のディスプレイ上に表示される（ステップＳ２０）。
【００４５】
図６は、図１に示した情報画面提供部２１から送信され、ユーザ端末１０−１に表示された登録物品掲載画面の一例を示す図である。
【００４６】
図６に示すように、図１に示した情報画面提供部２１から送信され、ユーザ端末１０−１に表示された登録物品掲載画面には、ステップＳ１７にて情報登録画面に入力された譲渡希望物品の物品名からなる譲渡希望物品情報４６と、ステップＳ１７にて情報登録画面に入力された取得希望物品の物品名からなる取得希望物品情報４７とが掲載されているとともに、これら譲渡希望物品情報４６と取得希望物品情報４７のうち、物々交換の対象となる物品を検索するための条件を指定するための検索条件指定エリア４８が設けられている。この検索条件指定エリア４８は、譲渡希望物品情報４６から物々交換の対象となる物品を検索する場合と、取得希望物品情報４７から物々交換の対象となる物品を検索する場合と、譲渡希望物品情報４６及び取得希望物品情報４７から物々交換の対象となる物品を検索する場合とがラジオボタンによって排他的に選択可能となっている。
【００４７】
図６に示した登録物品掲載画面に設けられた検索条件指定エリア４８において、物々交換の対象となる物品を検索するための条件が指定されると（ステップＳ２１）、物々交換支援サーバ２０の検索エンジン２２において、指定された条件に基づいて物品データベース２３から物々交換の対象となる物品が検索される（ステップＳ２２）。
【００４８】
ここで、検索エンジン２２における物品データベース２３からの物品の検索処理について詳細に説明する。
【００４９】
検索エンジン２２においては、図６に示した登録物品掲載画面に設けられた検索条件指定エリア４８において、物々交換の対象となる物品を検索するための条件として、譲渡希望物品情報４６から物々交換の対象となる物品を検索する旨が指定された場合は、譲渡希望物品情報４６によって示される譲渡希望物品が取得希望物品として物品データベース２３に記憶されている物品が検索される。そして、検索された取得希望物品に対応づけられた譲渡希望物品が物品データベース２３から検索される。例えば、譲渡希望物品情報４６が「ソファ」である場合、物品データベース２３に取得希望物品として記憶された物品の中に「ソファ」が存在するかどうかが検索される。そして、物品データベース２３においてこの「ソファ」に対応づけて「ランプ」が譲渡希望物品として記憶されている場合、「ランプ」が物品データベース２３から検索されることになる。
【００５０】
また、図６に示した登録物品掲載画面に設けられた検索条件指定エリア４８において、物々交換の対象となる物品を検索するための条件として、取得希望物品情報４７から物々交換の対象となる物品を検索する旨が指定された場合は、検索エンジン２２において、取得希望物品情報４７によって示される取得希望物品が譲渡希望物品として物品データベース２３に記憶されている物品が検索される。そして、検索された譲渡希望物品に対応づけられた取得希望物品が物品データベース２３から検索される。例えば、取得希望物品情報４７が「ランプ」である場合、物品データベース２３に譲渡希望物品として記憶された物品の中に「ランプ」が存在するかどうかが検索される。そして、物品データベース２３においてこの「ランプ」に対応づけて「ソファ」が取得希望物品として記憶されている場合、「ソファ」が物品データベース２３から検索されることになる。
【００５１】
また、図６に示した登録物品掲載画面に設けられた検索条件指定エリア４８において、物々交換の対象となる物品を検索するための条件として、譲渡希望物品情報４６及び取得希望物品情報４７から物々交換の対象となる物品を検索する旨が指定された場合は、検索エンジン２２において、取得希望物品情報４７によって示される取得希望物品が譲渡希望物品として物品データベース２３に記憶され、かつ、その譲渡希望物品が取得希望物品情報４７によって示される物品であるものがあるかどうかが検索される。そして、検索された譲渡希望物品及び取得希望物品が物品データベース２３から検索される。例えば、譲渡希望物品情報４６が「ソファ」であって、かつ、取得希望物品情報４７が「ランプ」である場合、物品データベース２３において、譲渡希望物品が「ランプ」であって、それに対応づけられた取得希望物品が「ソファ」であるものが物品データベース２３から検索されることになる。
【００５２】
すると、情報画面提供部２１において、検索エンジン２２にて物品データベース２３から検索された譲渡希望物品や取得希望物品の一覧が掲載された物品情報掲載画面が送信される（ステップＳ２３）。情報画面提供部２１においては、検索エンジン２２にて取得希望物品が物品データベース２３から検索された場合はその取得希望物品の一覧が掲載された物品情報掲載画面が送信され、また、検索エンジン２２にて譲渡希望物品が物品データベース２３から検索された場合はその譲渡希望物品の一覧が掲載された物品情報掲載画面が送信され、検索エンジン２２にて譲渡希望物品及び取得希望物品が物品データベース２３から検索された場合はその譲渡希望物品の一覧が掲載された物品情報掲載画面が送信される。
【００５３】
物々交換支援サーバ２０の情報画面提供部２１から送信された物品情報掲載画面は、インターネット３０を介してユーザ端末１０−１にて受信され、ユーザ端末１０−１のディスプレイ上に表示される（ステップＳ２４）。
【００５４】
図７は、図１に示した情報画面提供部２１から送信され、ユーザ端末１０−１に表示された物品情報掲載画面の一例を示す図である。なお、図７に示した物品情報掲載画面は、検索エンジン２２にて譲渡希望物品が物品データベース２３から検索された場合における一例を示す。
【００５５】
図７に示すように、図１に示した情報画面提供部２１から送信され、ユーザ端末１０−１に表示された物品情報掲載画面には、物品データベース２３から検索された物品情報４９が掲載されている。この物品情報４９は、物品データベース２３から検索された譲渡希望物品を示すものであって、それぞれ画像情報４９ａ〜４９ｃが掲載されている。なお、この画像情報４９ａ〜４９ｃには、画像情報４９ａ〜４９ｃがクリックによって指定された場合に、画像情報４９ａ〜４９ｃによって示される譲渡希望物品を入力した利用者が操作するユーザ端末を宛先とした電子メール作成画面をユーザ端末１０−１に表示させる情報が組み込まれている。
【００５６】
なお、図７に示した物品情報掲載画面は、検索エンジン２２にて譲渡希望物品が物品データベース２３から検索された場合のものであるため、物品データベース２３から検索された譲渡希望物品の画像情報４９ａ〜４９ｃが掲載されているが、検索エンジン２２にて取得希望物品が物品データベース２３から検索された場合は、その取得希望物品の名称等の文字データのみが物品情報掲載画面に掲載されることになり、掲載された文字データに、その文字データがクリックによって指定された場合に、文字データによって示される取得希望物品を入力した利用者が操作するユーザ端末を宛先とした電子メール作成画面をユーザ端末１０−１に表示させる情報が組み込まれている。
【００５７】
その後、ユーザ端末１０−１の利用者が、この物品情報４９によって示される譲渡希望物品の中から所望の物品の画像情報をクリックによって指定すると（ステップＳ２５）、ユーザ端末１０−１のメールソフトが起動し、指定された画像情報によって示される譲渡希望物品を入力した利用者が操作するユーザ端末を宛先とした電子メール作成画面がユーザ端末１０−１に表示される（ステップＳ２６）。なお、ステップＳ２１にて物々交換の対象となる物品を検索するための条件として、取得希望物品情報４７から物々交換の対象となる物品を検索する旨が指定された場合は、物品情報掲載画面に掲載された取得希望物品の中から所望の取得希望物品の名称等の文字データをクリックによって指定することになる。
【００５８】
これにより、ユーザ端末１０−１の利用者は、ステップＳ２５にて指定した画像情報によって示される譲渡希望物品を入力した利用者に対して、ステップＳ１７にて物品情報を入力した物品と、ステップＳ２５にて指定した画像情報によって示される物品との物々交換について電子メールでの交渉が可能となる。
【００５９】
次に、図１に示した物々交換支援システムによって構築される物々交換サイトに過去に登録した物品を用いて物々交換をする際の処理について説明する。
【００６０】
図８は、図１に示した物々交換支援システムによって構築される物々交換サイトに過去に登録した物品を用いて物々交換をする際の処理を説明するためのフローチャートであり、ユーザ端末１０−１を用いた処理を示す。
【００６１】
まず、図２に示したステップＳ１〜Ｓ１０と同様の処理が行われた後（ステップＳ３１〜Ｓ４０）、図４に示した登録ボタン４４と閲覧ボタン４５のうち、過去に登録した物品についての情報を閲覧する処理を選択するための閲覧ボタン４５が押下されると（ステップＳ４１）、物々交換支援サーバ２０において、物品データベース２３が参照され、ステップＳ３６にて認証されたログインＩＤに対応づけられた物品情報が検索され（ステップＳ４２）、検索された物品情報が掲載された登録物品掲載画面が情報画面提供部２１から送信される（ステップＳ４３）。物品データベース２３には、図５に示したように、物品登録画面を用いて登録された譲渡希望物品についての情報と取得希望物品についての情報とが、利用者毎に、利用者に付与されたログインＩＤ及び利用者の氏名と対応づけて記憶されているため、ステップＳ３６にて認証されたログインＩＤを用いて、利用者が過去に登録した譲渡希望物品についての情報と取得希望物品についての情報とが検索されることになる。
【００６２】
物々交換支援サーバ２０の情報画面提供部２１から送信された登録物品掲載画面は、インターネット３０を介してユーザ端末１０−１にて受信され、ユーザ端末１０−１のディスプレイ上に表示される（ステップＳ４４）。
【００６３】
図９は、図１に示した情報画面提供部２１から送信され、ユーザ端末１０−１に表示された登録物品掲載画面の一例を示す図である。
【００６４】
図９に示すように、図１に示した情報画面提供部２１から送信され、ユーザ端末１０−１に表示された登録物品掲載画面には、ステップＳ４２にて物品データベース２３から検索された譲渡希望物品の物品名からなる譲渡希望物品情報５１と、取得希望物品の物品名からなる取得希望物品情報５２とが、物品データベース２３における対応づけに従って掲載されているとともに、譲渡希望物品情報５１と取得希望物品情報５２との組み合わせのうち、物々交換の対象となる物品を検索するための組み合わせを選択するための物品選択エリア５３と、検索条件を指定するための検索条件指定エリア５４とが設けられている。この物品選択エリア５３は、譲渡希望物品情報５１と取得希望物品情報５２との組み合わせの中から、物々交換の対象となる物品を検索するための組み合わせをラジオボタンによって排他的に選択可能となっている。また、検索条件指定エリア５４は、物品選択エリア５３にて選択された組み合わせについて、譲渡希望物品情報５１から物々交換の対象となる物品を検索する場合と、取得希望物品情報５２から物々交換の対象となる物品を検索する場合と、譲渡希望物品情報５１及び取得希望物品情報５２から物々交換の対象となる物品を検索する場合とがラジオボタンによって排他的に選択可能となっている。
【００６５】
図９に示した登録物品掲載画面に設けられた物品選択エリア５３において、物々交換の対象となる物品を検索するための組み合わせが選択され（ステップＳ４５）、また、検索条件指定エリア５４において、物品選択エリア５３にて選択された組み合わせについて、物々交換の対象となる物品を検索するための条件が指定されると（ステップＳ４６）、物々交換支援サーバ２０の検索エンジン２２において、指定された組み合わせ及び条件に基づいて物品データベース２３から物々交換の対象となる物品が検索される（ステップＳ４７）。
【００６６】
その後、図２に示したステップＳ２３〜Ｓ２６と同様の処理が行われ（ステップＳ４８〜Ｓ５１）、ユーザ端末１０−１の利用者は、ステップＳ５０にて指定した画像情報によって示される譲渡希望物品を入力した利用者に対して、ステップＳ４５にて選択した物品と、ステップＳ５０にて指定した画像情報によって示される物品との物々交換について電子メールで交渉を行うことになる。また、ステップＳ４１にて物々交換の対象となる物品を検索するための条件として、取得希望物品情報４７から物々交換の対象となる物品を検索する旨が指定された場合は、物品情報掲載画面に掲載された取得希望物品の中から所望の取得希望物品の名称等の文字データをクリックによって指定することになる。
【００６７】
なお、上述した実施の形態において、利用者の居住地域を検索条件として与えることも考えられる。上述した物々交換においては、物々交換が成立した場合、物品を譲渡する利用者から物品を取得する利用者に物品を配送することになるが、物品を譲渡する利用者の居住地域と物品を取得する利用者の居住地域とが距離的に離れている場合、送料が高価になってしまう。そこで、図６や図９に示した検索条件指定エリア４８，５４にて、物々交換の対象となる利用者の居住地域を指定する構成としてもよい。
【図面の簡単な説明】
【００６８】
【図１】本発明の物々交換支援システムの実施の一形態を示す図である。
【図２】図１に示した物々交換支援システムにおいて物々交換サイトに物々交換をする物品を登録し、この物品を用いて物々交換をする際の処理を説明するためのフローチャートである。
【図３】図１に示した情報画面提供部から送信され、ユーザ端末に表示されたログイン画面の一例を示す図である。
【図４】図１に示した情報画面提供部から送信され、ユーザ端末に表示された処理種別選択画面の一例を示す図である。
【図５】図１に示した物品データベースの一構成例を示す図である。
【図６】図１に示した情報画面提供部から送信され、ユーザ端末に表示された登録物品掲載画面の一例を示す図である。
【図７】図１に示した情報画面提供部から送信され、ユーザ端末に表示された物品情報掲載画面の一例を示す図である。
【図８】図１に示した物々交換支援システムによって構築される物々交換サイトに過去に登録した物品を用いて物々交換をする際の処理を説明するためのフローチャートである。
【図９】図１に示した情報画面提供部から送信され、ユーザ端末に表示された登録物品掲載画面の一例を示す図である。
【符号の説明】
【００６９】
１０−１〜１０−ｎ    ユーザ端末
２０    物々交換支援サーバ
２１    情報画面提供部
２２    検索エンジン
２３    物品データベース
２４    顧客データベース
３０    インターネット
４１    ＩＤ入力領域
４２    パスワード入力領域
４３    送信ボタン
４４    登録ボタン
４５    閲覧ボタン
４６，５１    譲渡希望物品情報
４７，５２    取得希望物品情報
４８，５４    検索条件指定エリア
４９    物品情報
４９ａ〜４９ｃ    画像情報
５３    物品選択エリア
【図１】
2008171071.tif 000003
【図２】
2008171071.tif 000004
【図３】
2008171071.tif 000005
【図４】
2008171071.tif 000006
【図５】
2008171071.tif 000007
【図６】
2008171071.tif 000008
【図７】
2008171071.tif 000009
【図８】
2008171071.tif 000010
【図９】
2008171071.tif 000011